(57)【要約】【課題】高い吸込仕事率を長期間維持することができる電気掃除機を提供する。【解決手段】電動送風機２の上流側に設置され電動送風機２により吸引口６から吸引した塵埃を含む空気を導入する集塵ケース３と、集塵ケース３内に配置され吸引した塵埃を捕集するフィルター１３と、集塵ケース３内と外気とを連通する開口部２０と、開口部２０を開閉する第１の開閉手段２１と、第１の開閉手段２１よりも上流側に配され吸引風の通路を開閉する第２の開閉手段２５とを備え、電動送風機２で吸引している状態で第１、第２の開閉手段２１、２５を共に閉じて集塵ケース３内の圧力をさらに低い負圧状態にした後、第１の開閉手段２１を少なくとも１回開けて、集塵ケース３内外の圧力差により開口部２０から流入する外気気流で、フィルター１３に付着した塵埃を除去するもので、塵埃を多量に吸引しても吸込力が低下しにくく、高い吸込仕事率を長期間維持できる。【選択図】図２
2010273821.tif 000002
【特許請求の範囲】
【請求項１】
吸引風を発する電動送風機と、前記電動送風機の上流側に設置され前記電動送風機により吸引口から吸引した塵埃を含む空気を導入する集塵ケースと、前記集塵ケース内に配置され吸引した塵埃を捕集するフィルターと、前記集塵ケース内と外気とを連通すると共に前記吸引口とは異なる開口部と、前記開口部を開閉する第１の開閉手段と、前記第１の開閉手段よりも上流側に配され前記吸引風の通路を開閉する第２の開閉手段とを備え、前記電動送風機により吸引している状態で前記第２の開閉手段および前記第１の開閉手段を共に閉じて前記集塵ケース内の圧力をさらに大気圧より低い負圧状態にした後、前記第１の開閉手段を少なくとも１回開けて、前記集塵ケース内の圧力と大気圧との圧力差により前記開口部から前記集塵ケース内に流入する外気気流で前記フィルターに付着した塵埃を除去するようにした電気掃除機。
【請求項２】
開口部をフィルターの上流側に配置した請求項１に記載の電気掃除機。
【請求項３】
第２の開閉手段を閉じてから第１の開閉手段が開くまでの時間は、前記第２の開閉手段が閉じ集塵ケース内の負圧が高まり、前記集塵ケース内の圧力がサチレーションするまでとした請求項１または２に記載の電気掃除機。
【請求項４】
第１の開閉手段が開いてから閉じるまでの時間は、前記第１の開閉手段が開き集塵ケース内圧力と大気圧との圧力差が減少し、前記集塵ケース内の圧力がサチレーションするまでとした請求項１〜３のいずれか１項に記載の電気掃除機。
【請求項５】
第１の開閉手段の開成動作は、定速で回転するモータで行い、前記第１の開閉手段の閉成動作は、前記モータに依存せずバネや圧力差で行うようにした請求項１〜４のいずれか１項に記載の電気掃除機。
【請求項６】
第１の開閉手段および第２の開閉手段を１つの駆動源で動作させるようにした請求項１〜５のいずれか１項に記載の電気掃除機。
【請求項７】
開口部から流入した外気気流がフィルターの上部から下方へ沿って流れるようにした請求項２〜６のいずれか１項に記載の電気掃除機。
【請求項８】
フィルターをプリーツ形状で構成し、開口部を、前記プリーツ形状の各々の谷部の少なくとも一部を覆う複数の孔で構成した請求項１〜７のいずれか１項に記載の電気掃除機。
【請求項９】
複数の孔を、プリーツ形状の各々の谷部の奥部分のみに開口させた請求項８に記載の電気掃除機。
【請求項１０】
掃除作業終了後に、第１の開閉手段および第２の開閉手段の各々を動作させるようにした請求項１〜９のいずれか１項に記載の電気掃除機。
【発明の詳細な説明】
【技術分野】
【０００１】
本発明は、フィルターの除塵機能を有した電気掃除機に関するものである。
【背景技術】
【０００２】
従来、この種の電気掃除機は、吸引口から流入した含塵空気から塵埃を分離する塵埃分離部と、塵埃分離部を通過した空気にまだ含まれる細塵を捕捉するためのプリーツ状のフィルターを有し、前記フィルターの吸気面を除塵すると共に往復移動可能に配置された櫛刃状の除塵子、該除塵子に一方向への移動力を付与する回転駆動体、および前記除塵子を初期の位置に復帰させるばね部材をそれぞれ設けた中間部材を前記フィルターの吸気側に着脱自在に設けていた（例えば、特許文献１参照）。
【先行技術文献】
【特許文献】
【０００３】
【特許文献１】特公昭６３−５１０１３号公報
【発明の概要】
【発明が解決しようとする課題】
【０００４】
しかしながら、前記従来の電気掃除機の構成では、往復運動を与えるための駆動源、駆動力を伝達するギヤ部、また回転運動を直線運動に変換するギヤ部等の構成が複雑になってしまったり、このギヤ構成の一部は、フィルター吸気面側に配置させる必要があることから、フィルターの吸気面に付着する細塵がギヤ部にも付着してしまうと、細塵の咬み込みにより、ギヤ部がロックしてしまう恐れがあり、除塵動作の信頼性に問題があった。また、このはじき除塵による衝撃では、フィルターに詰まった塵埃を充分に除塵することが出来ないという課題を有していた。
【０００５】
本発明は、前記従来の課題を解決するもので、塵埃を多量に吸引しても吸込力が低下しにくく、高い吸込仕事率を長期間維持することができ、さらに長期間メンテナンス不要の電気掃除機を提供することを目的とする。
【課題を解決するための手段】
【０００６】
前記従来の課題を解決するために、本発明の電気掃除機は、吸引風を発する電動送風機と、前記電動送風機の上流側に設置され前記電動送風機により吸引口から吸引した塵埃を含む空気を導入する集塵ケースと、前記集塵ケース内に配置され吸引した塵埃を捕集するフィルターと、前記集塵ケース内と外気とを連通すると共に前記吸引口とは異なる開口部と、前記開口部を開閉する第１の開閉手段と、前記第１の開閉手段よりも上流側に配され前記吸引風の通路を開閉する第２の開閉手段とを備え、前記電動送風機により吸引している状態で前記第２の開閉手段および前記第１の開閉手段を共に閉じて前記集塵ケース内の圧力をさらに大気圧より低い負圧状態にした後、前記第１の開閉手段を少なくとも１回開けて、前記集塵ケース内の圧力と大気圧との圧力差により前記開口部から前記集塵ケース内に流入する外気気流で前記フィルターに付着した塵埃を除去するようにしたもので、塵埃を多量に吸引しても吸込力が低下しにくく、高い吸込仕事率を長期間維持することができ、さらに長期間メンテナンス不要の電気掃除機を提供することができる。
【発明の効果】
【０００７】
本発明の電気掃除機は、塵埃を多量に吸引しても吸込力が低下しにくく、高い吸込仕事率を長期間維持することができ、さらに長期間メンテナンス不要の電気掃除機を提供することができる。
【図面の簡単な説明】
【０００８】
【図１】本発明の実施の形態１における電気掃除機の全体を示す全体図
【図２】同電気掃除機の掃除機本体の縦断面図
【図３】（ａ）同電気掃除機のフィルターの斜視図、（ｂ）同フィルターの上面図
【図４】（ａ）、（ｂ）同電気掃除機のカムＡの動力伝達部の機構を示す正面図
【図５】（ａ）同電気掃除機のカムＢの動力伝達部の機構を示す側面図、（ｂ）同カムＢの動力伝達部の機構を示す上面図
【図６】（ａ）同カムＢの動力伝達部の機構を示す側面図、（ｂ）同カムＢの動力伝達部の機構を示す上面図
【図７】掃除中の同掃除機本体の部分縦断面図
【図８】第２の開閉手段を閉じたときの同掃除機本体の部分縦断面図
【図９】第１の開閉手段を開いたときの同掃除機本体の部分縦断面図
【発明を実施するための形態】
【０００９】
第１の発明は、吸引風を発する電動送風機と、前記電動送風機の上流側に設置され前記電動送風機により吸引口から吸引した塵埃を含む空気を導入する集塵ケースと、前記集塵ケース内に配置され吸引した塵埃を捕集するフィルターと、前記集塵ケース内と外気とを連通すると共に前記吸引口とは異なる開口部と、前記開口部を開閉する第１の開閉手段と、前記第１の開閉手段よりも上流側に配され前記吸引風の通路を開閉する第２の開閉手段とを備え、前記電動送風機により吸引している状態で前記第２の開閉手段および前記第１の開閉手段を共に閉じて前記集塵ケース内の圧力をさらに大気圧より低い負圧状態にした後、前記第１の開閉手段を少なくとも１回開けて、前記集塵ケース内の圧力と大気圧との圧力差により前記開口部から前記集塵ケース内に流入する外気気流で前記フィルターに付着した塵埃を除去するようにしたもので、塵埃を多量に吸引しても吸込力が低下しにくく、高い吸込仕事率を長期間維持することができ、さらに長期間メンテナンス不要の電気掃除機を提供することができる。
【００１０】
第２の発明は、特に、第１の発明の開口部をフィルターの上流側に配置したもので、フィルターの表面に付着した塵埃に直接気流が当たるため減衰が小さく、よりフィルターの塵埃を弾き飛ばす効果を得ることができる。
【００１１】
第３の発明は、特に、第１または第２の発明の第２の開閉手段を閉じてから第１の開閉手段が開くまでの時間は、前記第２の開閉手段が閉じ集塵ケース内の負圧が高まり、前記集塵ケース内の圧力がサチレーションするまでとしたもので、短い時間に集塵ケース内の負圧を高め、集塵ケース内圧力と大気圧との圧力差を大きくし、外気気流の流入速度を速めてより高い除塵性能を得ることができる。
【００１２】
第４の発明は、特に、第１から第３のいずれか１つの発明の第１の開閉手段が開いてから閉じるまでの時間は、前記第１の開閉手段が開き集塵ケース内圧力と大気圧との圧力差が減少し、前記集塵ケース内の圧力がサチレーションするまでとしたもので、集塵ケース内の圧力がサチレーションして外気気流が定常流となりフィルターに塵埃が付着する流れになることを防ぐことができる。
【００１３】
第５の発明は、特に、第１から第４のいずれか１つの発明の第１の開閉手段の開成動作は、定速で回転するモータで行い、前記第１の開閉手段の閉成動作は、前記モータに依存せずバネや圧力差で行うようにしたもので、閉成するときに、定速で回転するモータでは得ることのできない加速度で第１の開閉手段を閉じることができ、そのときの衝撃波でより高い除塵性能を得ることができる。
【００１４】
第６の発明は、特に、第１から第５のいずれか１つの発明の第１の開閉手段および第２の開閉手段を１つの駆動源で動作させるようにしたもので、２つの開閉手段の動作タイミングのずれを少なくすることができ安価で信頼性の高い電気掃除機を提供することができる。
【００１５】
第７の発明は、特に、第２から第６のいずれか１つの発明の開口部から流入した外気気流がフィルターの上部から下方へ沿って流れるようにしたもので、外気気流の流入方向と重力方向が一致し、効率的に外気気流で弾き飛ばした塵埃を下方へ移送しより高い除塵性能を得ることができる。
【００１６】
第８の発明は、特に、第１から第７のいずれか１つの発明のフィルターをプリーツ形状で構成し、開口部を、前記プリーツ形状の各々の谷部の少なくとも一部を覆う複数の孔で構成したもので、塵埃がより溜まりやすい谷部に外気気流を流すことができより高い除塵性能を得ることができる。
【００１７】
第９の発明は、特に、第８の発明の複数の孔を、プリーツ形状の各々の谷部の奥部分のみに開口させたもので、塵埃が溜まりやすい谷部の奥部に流れる流速を増すことができより効率的にフィルターの除塵を行うことができる。
【００１８】
第１０の発明は、特に、第１から第９のいずれか１つの発明の電気掃除機において、掃除作業終了後に、第１の開閉手段および第２の開閉手段の各々を動作させるようにしたもので、掃除中に第１の開閉手段を開いて吸引口からの塵埃を吸引する吸引力を落とすことなく、また掃除中に第２の開閉手段を閉じて吸引口から塵埃が流入するのを妨げたりすることなく、より効率的にフィルターの除塵を行うことができる。
【００１９】
以下に本発明の実施の形態について図面を参照しながら説明する。なお、本実施の形態によって本発明が限定されるものではない。
【００２０】
（実施の形態１）
本発明の第１の実施の形態における電気掃除機について、図１〜９を用いて説明する。図１は、本実施の形態における電気掃除機の全体を示す全体図である。
【００２１】
図１において、本実施の形態における電気掃除機の掃除機本体１の後部に、電動送風機２を内蔵する電動送風機室１８を配し、前部に塵埃を分離捕集する集塵ケース３を配し、更に、掃除機本体１の前部には、ホース４の一端に設けた接続パイプ５が着脱自在に接続される吸引口６が設けられている。ホース４の他端には、掃除の際に握る把手７ａを備えた先端パイプ７を設けており、この先端パイプ７には、延長管８の一端が着脱自在に接続され、さらに延長管８の他端には、床面の塵埃を吸い込むための吸込具９が着脱自在に接続されている。
【００２２】
図２は、掃除機本体１の縦断面図である。
【００２３】
図２において、掃除機本体１は、後部に電動送風機２を内蔵する電動送風機室１８を配し、前部には、塵埃を捕集する粗塵分離部１０を有する集塵ケース３が着脱自在に配されている。
【００２４】
粗塵分離部１０には、電動送風機２で発生する吸引風により吸引された粗塵を分離するための粗塵フィルター１１が配され、ここで、小石、綿ゴミ等の粗塵を分離する。この粗塵フィルター１１は、金属メッシュ、パンチングメタル、樹脂メッシュなど、砂塵などの細塵が通り抜けられる比較的孔径の大きな部材を用いるのが好ましく、本実施の形態１で
は、貫通孔径が１００〜３００ミクロンの微小な開口の貫通孔（図示せず）を設けた金属メッシュを用いている。
【００２５】
粗塵フィルター１１と電動送風機２との間には、粗塵フィルター１１を通過した細塵を捕獲するための細塵分離部１２を配し、細塵分離部１２の下方には、塵埃収容部１６を設けている。塵埃収容部１６の上部には、塵埃舞い上がり防止リブ１７が斜め下方向を向いて配置されている。
【００２６】
細塵分離部１２には、ＰＥＴ樹脂で剛性を持たせたシート状の濾材の上流側に貫通孔径が約０．５ミクロンのＰＴＦＥ膜を付着させたプリーツ状のフィルター１３を備え、そのフィルター１３の周囲を枠体１４にて保持している。このフィルター１３は、細塵を分離、捕獲するものであり、各プリーツの稜線が上下方向となるように配している。これは、フィルター１３の吸気面に付着した細塵を除去する際、フィルター１３の吸気面から離脱した細塵を、下方に設けた塵埃収容部１６まで誘導するためである。
【００２７】
ここで言うフィルター１３の吸気面とは、電動送風機２で発生する吸引風が入り込んでくる上流側のフィルター面のことである。なお、フィルター１３はプリーツ形状でなく平板形状等の他の形状でも構わない。また、本実施の形態では、粗塵フィルター１１とフィルター１３の２つのフィルターを用いて塵埃を分離しているが、１つのフィルターであっても構わない。
【００２８】
フィルター１３の上流側上方には、後述の格子２４を通して外気と連通すると共に複数の孔からなる開口部２０と、開口部２０を開閉すると共に、バネＡ２２によって常に閉める方向に付勢された蓋状の第１の開閉手段２１が配置されている。
【００２９】
第１の開閉手段２１は、開閉棒２３によって下方から突き上げられて開閉する機構となっている。また、第１の開閉手段２１の上方には、外気と連通すると共に第１の開閉手段２１に直接手が触れることのないようにするための格子２４が設けられている。
【００３０】
吸引口６には、第２の開閉手段２５が回転軸２６によって回転自在に保持され、バネＢ２７によって第２の開閉手段２５を開く方向に常に力を加えられ配置されている。なお、本実施の形態では吸引口６に第２の開閉手段２５を設けたが、吸引口６に限らず粗塵分離室１１内など第１の開閉手段２１の上流側にあれば、その位置は問わない。
【００３１】
集塵ケース３の下には、第１の開閉手段２１と第２の開閉手段２５を開閉させる駆動源であるモータ２８と、モータ２８の回転を伝達するシャフト２９が配され、シャフト２９は、開閉棒２３を上方向に動かすカムＡ３０と、回転軸２６を回転させるカムＢ３１を備えている。
【００３２】
このように第１の開閉手段２１および第２の開閉手段２５を１つのモータ２８で開閉させる構成としたことにより、２つの開閉手段の動作タイミングのずれを少なくすることができ、安価で信頼性の高い電気掃除機を提供することができる。
【００３３】
図３（ａ）は、フィルター１３の斜視図、図３（ｂ）は、フィルター１３の上面図である。
【００３４】
図３（ａ）に示すように、開口部２０は、フィルター１３のプリーツ形状の各々の谷部とほぼ同一の形状の複数の孔から構成され、特にプリーツの谷部の奥部分にのみ開口している。また、図３（ｂ）に示すように第１の開閉手段２１は開口部２０を全て覆うように配置されている。
【００３５】
図４は、カムＡ３０の動力伝達部の機構を示す正面図である。
【００３６】
図４（ａ）に示すように、モータ２８によって回転したカムＡ３０は、開閉棒２３を上方向に押し上げる。そして、図４（ｂ）に示すようにある位置までカムＡ３０が回転すると、開閉棒２３は、カムＡ３０による下端の支えがなくなり、第１の開閉手段２１および重力によって下方に押し下げられる。
【００３７】
図５、６は、カムＢ３１の動力伝達部の機構を示す側面図と上面図である。
【００３８】
まず、図５（ａ）、図５（ｂ）に示すようにモータ２８によってカムＢ３１が回転する。そして、図６（ａ）、図６（ｂ）に示すようにある位置までカムＢ３１が回転すると、回転軸２６の突起３２に当たり回転軸２６を回転させる。このままカムＢ３１が回転すると突起３２から外れ、回転軸２６はバネＢ２７によって再び元の位置に戻ろうとするが、このとき、第２の開閉手段２５全面に吸気圧が働いており回転軸２６は元に戻らないものである。
【００３９】
なお、本実施の形態１では、モータ２８とカムの構成を用いたが、電磁弁やバネで閉じられた蓋体が圧力差により開くようにして開口部２０に連通する外気の流れを任意に開閉するものであればよいものである。
【００４０】
以上のように構成された本実施の形態１の電気掃除機について、その動作を図１、図７〜９を用いて説明する。
【００４１】
図７は、掃除中の掃除機本体１の部分縦断面図、図８は、第２の開閉手段２５を閉じたときの掃除機本体１の部分縦断面図、図９は、第１の開閉手段２１を開いたときの掃除機本体１の部分縦断面図である。
【００４２】
電動送風機２の運転を開始すると、吸引気流が発生し、吸込具９、延長管８、先端パイプ７、ホース４、接続パイプ５、吸引口６を通じて、空気とともに床面からの塵埃が集塵ケース３内に吸い込まれる。
【００４３】
図７に示すように、空気と共に集塵ケース３内に吸い込まれた塵埃は、粗塵分離部１０内の粗塵フィルター１１によって小石、綿ゴミ等の粗塵４０が捕集され、粗塵フィルター１１を通過した砂塵などの細塵４１は、細塵分離部１２のフィルター１３で捕集される。その後、掃除機本体１のスイッチ（図示せず）を切ると、図８に示すように吸引は持続したまま自動的にモータ２８が回転し、まずカムＢ３１と突起３２が当たり回転軸２６が回転し、第２の開閉手段２５により、吸引口６が塞がれる。
【００４４】
なお、本実施の形態では、吸引を持続させたまま自動的にモータ２８を回転させたが、スイッチを切ったという認識を使用者にもってもらうため、一旦電動送風機２の吸引力を落としてからモータ２８を回転させてもよい。
【００４５】
第２の開閉手段２５が閉じられてから約０．１秒間に、集塵ケース３内の圧力が約−２５０００Ｐａ〜−３５０００Ｐａまで低下してサチレーションし、その後モータ２８によって回転したカムＡ３０は、図９に示すように、開閉棒２３を上方向に押し上げ第１の開閉手段２１を開く。なお、本実施の形態では約０．１秒後に第１の開閉手段２１を開いたが、これは本構成において圧力がサチレーションする時間を測定したもので、圧力検知手段を設けて圧力がサチレーションしたのを確認した上で、第１の開閉手段２１を開いてもよい。また、サチレーションする時間および圧力は、電動送風機２の吸引力、集塵ケース
３の大きさ等に依存しているためこの限りではない。
【００４６】
第１の開閉手段２１が開くと、図９に示すように、集塵ケース３内の圧力と大気圧との圧力差により、開口部２０から集塵ケース３内へ外気気流５０が瞬間的に流れ込む。そのとき塵埃収容部１６に向かって流れる外気気流５０は、フィルター１３に付着した細塵４１を弾き飛ばし塵埃収容部１６まで移送する。
【００４７】
このとき塵埃収容部１６には、塵埃舞い上がり防止リブ１７があるため塵埃収容部１６に収容された細塵４１が再び舞い上がることを防止している。また粗塵分離部１０に向かって流れる外気気流５０は、同時に、粗塵フィルター１１に付着した粗塵４０を粗塵フィルター１１裏面から剥がして弾き飛ばす。
【００４８】
第１の開閉手段２１を開いてから約０．０３秒後に、集塵ケース３内の圧力が約−５０００Ｐａ〜−１００００Ｐａまで増加してサチレーションし、その後モータ２８によってカムＡ３０がさらに回転し、開閉棒２３は下端の支えがなくなり下降し、第１の開閉手段２１が閉まる。なお、本実施の形態では約０．０３秒後に第１の開閉手段２１を閉じるようにしたが、これは本構成において圧力がサチレーションする時間を測定したもので、圧力検知手段を設けて圧力がサチレーションしたのを確認した上で、第１の開閉手段２１を閉じるようにしてもよい。また、サチレーションする時間および圧力は電動送風機２の吸引力、集塵ケース３の大きさ等に依存しているためこの限りではない。
【００４９】
その後、モータ２８の回転に合わせて、約０．３秒後に再び第１の開閉手段２１が開き除塵が行われこの開閉を５回繰り返す。５回目の最後は、第１の開閉手段２１を閉じた後、電動送風機２による吸引を止め、吸引圧がなくなることで第２の開閉手段２５がバネＢ２７によって開き終了する。
【００５０】
なお、本実施の形態では約０．３秒後に第１の開閉手段２１を再び開いたが、これは本構成において圧力がサチレーションする時間を測定しそれ以上としたもので、圧力検知手段を設けて圧力がサチレーションしたのを確認した上で、第１の開閉手段２１を再び開いてもよい。また、密閉開放を５回繰り返したが、この回数はフィルターの種類、圧力差などの条件によって最適値は異なるもので、５回に限定するものではない。
【００５１】
以上のように本実施の形態によれば、電動送風機２により吸引している状態で第２の開閉手段２５および第１の開閉手段２１を共に閉じ、集塵ケース３内の圧力をさらに大気圧より低い負圧状態にした後、第１の開閉手段２１を少なくとも１回開閉することで、集塵ケース３内圧力と大気圧との圧力差により生じる、開口部２０から集塵ケース３内への外気流入５０を発生させ、この外気気流５０によってフィルター１３および粗塵フィルター１１に付着した塵埃を除去するもので、塵埃を多量に吸引しても吸込力が低下しにくく、高い吸込仕事率を長期間維持することができ、さらに長期間メンテナンス不要の電気掃除機を提供することができる。
【００５２】
また、開口部２０をフィルター１３の上流側に配置したことにより、フィルター１３の表面に付着した細塵４１に直接気流が当たり、よりフィルター１３の塵埃を弾き飛ばす効果を得ることができる。
【００５３】
さらに、第２の開閉手段２５が閉じてから第１の開閉手段２１が開くまでの時間は、第２の開閉手段２５が閉じ集塵ケース３内の負圧が高まり、集塵ケース３内圧力がサチレーションするまでとしたことにより、短い時間に集塵ケース３内の負圧を高め、集塵ケース３内圧力と大気圧との圧力差を大きくし、外気気流５０の流入速度を速めてより高い除塵性能を得ることができる。
【００５４】
また、第１の開閉手段２１が開いてから閉じるまでの時間は、第１の開閉手段２１が開き集塵ケース３内圧力と大気圧との圧力差が減少し、集塵ケース３内圧力がサチレーションするまでとしたことにより、集塵ケース３内の圧力がサチレーションして外気気流が定常流となりフィルター１３に塵埃が付着する流れになることを防ぐことができる。
【００５５】
さらに、第１の開閉手段２１の開閉構成は、第１の開閉手段２１を開くときは、定速で回転するモータ２８出力と連動して開き、閉めるときは、モータ２８に依存せずバネＡ２２や圧力差で閉じる構成としたことにより、定速で回転するモータ２８では得ることのできない加速度で第１の開閉手段２１を閉じることができ、そのときの衝撃波でより高い除塵性能を得ることができる。
【００５６】
また、開口部２０は、フィルター１３に対して上側に設けられ、開口部２０から流入した外気気流５０がフィルター１３の上部から下方へ沿って流れるようにしたことにより、外気気流５０の流入方向と重力方向が一致し、効率的に外気気流５０で弾き飛ばした塵埃を下方へ移送し除塵効果を高めることができる。
【００５７】
また、フィルター１３は、プリーツ形状で構成され、開口部２０は、フィルター１３のプリーツ形状の各々の谷部の少なくとも一部を覆う様に複数の孔を配置して構成したことにより、塵埃がより溜まりやすい谷部に外気気流５０を流すことができより高い除塵性能を得ることができる。
【００５８】
さらに、複数の孔は、プリーツ形状の各々の谷部の奥部分のみに開口させたことにより、塵埃が溜まりやすい谷部の奥部に流れる空気の流速を増すことができより効率的にフィルターの除塵を行うことができる。
【００５９】
また、第１の開閉手段２１および第２の開閉手段２５の各々の開閉動作は、掃除作業終了後に行うよう制御したことにより、掃除中に第１の開閉手段２１を開いて吸引口６からの塵埃を吸引する吸引力を落とすことなく、また掃除中に第２の開閉手段２５で吸引口６を塞いで、吸引口６から塵埃が流入することを防ぐことなくより効率的にフィルターの除塵を行うことができる。
【００６０】
なお、本実施の形態では、フィルター１３の上流側上方に、開口部２０を開閉する第１の開閉手段２１を設けて塵埃を落としているが、粗塵フィルター１１の上流側上方に開口部２０を開閉する蓋状の第１の開閉手段２１を設けて同様に直接外気気流５０を粗塵４０に当てることにより粗塵フィルター１１の粗塵４０を落とすこともできる。
【産業上の利用可能性】
【００６１】
以上説明したように、本発明に係る電気掃除機は、塵埃を分離・捕集するフィルターを効率良く除塵することが可能となるので、家庭用電気掃除機及び大型の電気掃除機等の用途にも適用できる。
【符号の説明】
【００６２】
１  掃除機本体
２  電動送風機
３  集塵ケース
６  吸引口
１１  粗塵フィルター
１２  細塵分離部
１３  フィルター
１６  塵埃収容部
２０  開口部
２１  第１の開閉手段
２２  バネＡ
２５  第２の開閉手段
２８  モータ（駆動源）
４０  粗塵
４１  細塵
５０  外気気流
【図１】
2010273821.tif 000003
【図２】
2010273821.tif 000004
【図３】
2010273821.tif 000005
【図４】
2010273821.tif 000006
【図５】
2010273821.tif 000007
【図６】
2010273821.tif 000008
【図７】
2010273821.tif 000009
【図８】
2010273821.tif 000010
【図９】
2010273821.tif 000011